(57)【要約】      （修正有）【課題】人体に密着しやすく、かつ一度に複数個所を治療できるようにした磁気治療用クッションシートを提供する。【解決手段】複数個のシート体２１，２２，２３を連結部で連絡し、シート体の内部に磁場発生器１を取付けている。シート体が３個であり、２個の連結部で連結されている。磁場発生器は、交番磁界発部手段と吸排気手段とを備えており、シート体には、磁場発生器に外気を送る吸気孔２６と磁場発生器内の空気を出す排気孔２７とを備えている。磁場発生器を有するシート体が複数個あるので、シート体に体を横たえるだけで磁場発生器を人体に密着させることができ、人体の複数個所を同時に治療することができる。【選択図】図１
0003117718.tif 000002
【実用新案登録請求の範囲】
【請求項１】
複数個のシート体を連結部で連絡し、前記シート体の内部に磁場発生器を取付けている
ことを特徴とする磁気治療用クッションシート。
【請求項２】
前記シート体が３個であり、２個の連結部で連結されている
ことを特徴とする請求項１記載の磁気治療用クッションシート。
【請求項３】
前記磁場発生器は、交番磁界発生手段と吸排気手段とを備えており、
前記シート体には、前記磁場発生器に外気を送る吸気孔と前記磁場発生器内の空気を出す排気孔とを備えている
ことを特徴とする請求項１記載の磁気治療用クッションシート。
【請求項４】
前記磁場発生器が発生する磁界によって振動を生ずる部材が内包された振動体感板を備えた
ことを特徴とする請求項１記載の磁気治療用クッションシート。
【考案の詳細な説明】
【技術分野】
【０００１】
本考案は、磁気治療用クッションシートに関する。さらに詳しくは、人の健康増進に用いる磁気治療用クッションシートに関する。
【背景技術】
【０００２】
従来より健康器具としての磁気治療器はベッドに多数の磁場発生器を取付けた大形のものから、数個の磁場発生器を屈曲可能に連結しただけの小形のものまで、様々なタイプのものがある。後者の小形の磁気治療器としては特許文献１に記載のものがある。
この磁気治療器101は、図１１に示すように、複数個の磁場発生器111を互いに連結して本体を構成し、それに電源コード102とスイッチを備えた電源回路103とからなるものである。磁場発生器111自体はプラスチック製などの箱体とそれに入れられたコイル等からなり、交流磁界を発生する機能を有している。また、複数個の磁場発生器111相互の結合は、箱体に形成した蝶番によるもので、互いに一次元的な屈曲は可能となっている。しかし、二次元以上の自由な変形は不可能である。
【０００３】
以上の理由により、人体の任意の部分に巻き付けて使用することはできず、仮に巻き付けたとしても人体に密着しないので健康増進効果は薄かった。また、同時には人体上のあるまとまった部分（例えば、胴回りや肩の周辺）しか治療できず、背中全体や足全体などの広がりのある部分、あるいは体全体を一度に治療することはできないという問題がある。
【０００４】
【特許文献１】特開２００３−２２２６６１号公報
【考案の開示】
【考案が解決しようとする課題】
【０００５】
本考案は上記事情に鑑み、人体に密着しやすく、かつ一度に複数個所を治療できるようにした磁気治療用クッションシートを提供することを目的とする。
【課題を解決するための手段】
【０００６】
第１考案の磁気治療用クッションシートは、複数個のシート体を連結部で連絡し、前記シート体の内部に磁場発生器を取付けていることを特徴とする。
第２考案の磁気治療用クッションシートは、第１発明において、前記シート体が３個であり、２個の連結部で連結されていることを特徴とする。
第３考案の磁気治療用クッションシートは、第１発明において、前記磁場発生器は、交番磁界発生手段と吸排気手段とを備えており、前記シート体には、前記磁場発生器に外気を送る吸気孔と前記磁場発生器内の空気を出す排気孔とを備えていることを特徴とする。
第４考案の磁気治療用クッションシートは、第１発明において、前記磁場発生器が発生する磁界によって振動を生ずる部材が内包された振動体感板を備えたことを特徴とする。
【考案の効果】
【０００７】
第１考案によれば、磁場発生器を有するシート体が複数個あるので、シート体に体を横たえたり座るだけで磁場発生器を人体に密着させることができ、かつ人体の広い面積、又は体全体を同時に治療することができる。
第２考案によれば、３つのシート体が２ヵ所の連結部で折り畳めるので、平たく敷いたり、壁にもたせかけたり、椅子に置いたりして自由な形態で使用でき、また三つ折りしてコンパクトに畳んでおくことができる。
第３考案によれば、磁場発生器の有する吸排気手段を作動させると、シート体の吸気孔を通じて外部の冷気を磁場発生器に取込んで冷却し、交番磁界発生手段から出た熱は排気孔より外部に排出できる。このため磁場発生器の熱が人体に伝わらないので、使用中に人が低温やけどすることはない。
第４考案によれば、クッションシート内の磁場発生器が発生している交番磁界の影響を受けて、振動体感板内の磁石が振動するので、その振動を人が体感して、磁気治療を受けていることを実感することができる。
【考案を実施するための最良の形態】
【０００８】
つぎに、本考案の実施形態を図面に基づき説明する。
図１は（Ａ）図は本発明の一実施形態に係る磁気治療用クッションシートの平面図、（Ｂ）図は同側面図である。図２は磁場発生器の天板を除いた状態の平面図である。図３は磁場発生器の側面断面図である。
【０００９】
図１に示すように、本実施形態の磁気治療用クッションシートＣは、クッションシート２０と磁場発生器１とを組合わせて構成されている。クッションシート２０は、複数のシート体２１，２２，２３を２枚の連結部２４，２５で連結して構成されている。図示のシート体は３個であるが、２個であってもよく、４個以上であってもよい。ただし、３個であると、椅子に置いて使えるし、三つ折りにしてコンパクトにできるので、持ち運びや収納性がよいという利点がある。
【００１０】
前記シート体２１，２２，２３の素材は、適度なクッション性を与えることができれば、とくに制限なく公知の素材を利用できる。また、その製造は、一体成形などの任意の方法を採用できる。なお、中央のシート体２２は、人が座ったときの滑りやズレを防止するため、滑り止め作用を有するシート材料を用いるのが好ましい。また、連結部２４，２５も丈夫で屈曲可能であればよく、布その他の公知の素材を用いることができる。
【００１１】
前記シート体２１，２３の内部には、磁場発生器１が埋め込まれている。図示の実施形態では、中央のシート体２２には磁場発生器１を埋めていないが、これにも磁場発生器１を埋め込んだものも、本考案に含まれる。この磁場発生器１を埋め込んだ部分のシート体の外装生地は、磁界を有効に通過させる材料を用いるのが好ましい。
【００１２】
図２および３において、１は磁場発生器であり、１ｃはこの磁場発生器１を構成する箱体である。箱体１ｃは、底板２と天板３と４枚の側板４，５，６，７とから立方体に構成されている。なお、底板２は人体に当てる側の治療面である。
【００１３】
前記箱体１ｃの内部には、コイル１０などの交流磁界を発生させるための交番磁界発生手段が入れられている。なお、コイル１０以外にも配線などの部分も入っているが、図示は省略されている。
また、この実施形態では２個一組のコイル１０が４セット用いられているが、３セット以下のものも、５セット以上のものも、本考案に含まれる。
【００１４】
前記箱体１ｃの底板２の中央には、吸排気用のファン１１が取付けられている。このファン１１は、コイル１０と共通の電源で回転駆動される。そして、このファン１１には排気ガイド１２が接続されている。排気ガイド１２の先端は、一方の側板５に形成した穴から外部に臨んでいる。
【００１５】
一方、箱体１ｃの他方の側板４には、吸気孔１３と排気孔１４が形成されている。この吸気孔１３は１個の大き目の孔でもよく、複数個の小さ目の孔であってもよい。
また、図示の例では、吸気孔１３は側板４のみであるが、他の側板５，６，７に設けてもよい。
要は、吸気の流れができるだけ多くのコイル１０に接触すればよいのである。
【００１６】
上記の吸排気手段によると、ファン１１を回転させると、吸気孔１３から外部の冷気が入り、排気ガイド１２を通じて排気孔１４からコイル１０で発生した熱を含む空気を外部に排出するので、箱体１内は常時冷却される。このため、箱体１が熱を持たず、使用中に人に低温やけどをさせる事故を防止しうる。
【００１７】
図１に示すように、シート体２１，２３における磁場発生器１を埋め込んだ部分の横には、吸気通路２６と排気通路２７が形成されている。これらの吸気通路２６および排気通路２７は、いずれもトンネル状の孔で外気に通じており、吸気通路２６は磁気発生器１の吸気孔１３に連通し、排気通路２７は磁場発生器１の排気ガイド１２に連通している。
【００１８】
前記シート体２１，２３における吸気通路２６と排気通路２７の出入口は、網目生地で覆い、ホコリや異物の混入を防止することが好ましい。また、排気通路２７の出口付近には、芳香剤入りのカートリッジを取付けておけば、排気風によって匂いを飛ばして癒し効果を発揮することができる。
【００１９】
２８はコントローラであり、電源スイッチやタイマーを内蔵し、電源コード２９を接続している。このコントローラ２８はクッションシート２０の適当な部位に、着脱自在に取付けたり、予め取付けておかれる。また、コントローラ２８を直接接続した磁場発生器１から他の磁場発生器１へは、シート体に内蔵の電源コード２９で接続されている。このためクッションシート２０に取付けた各磁場発生器１には、コントローラ２８から交流電流が供給される。
【００２０】
つぎに、本実施形態の使い方を説明する。
図４はクッションシート２０を平坦に伸ばした状態を示す斜視図である。この状態では、クッションシート２０の上に人が寝ると、２個の磁場発生器１によって、ほぼ全身を磁気治療することができる。
【００２１】
図５はクッションシート２０の一部を立てた状態を示す斜視図である。この状態では、シート体２１を例えば壁などに立て掛けておくと、座イスのように使え、座りながら全身を磁気治療することができる。
【００２２】
図６はクッションシート２０を椅子Ｅに置いた状態の斜視図である。この状態では、シート体２１は背もたれ、シート体２２は座面、シート体２３は足当てとなり、椅子と同じ形態をとるので、人が椅子に座るように座って、全身を磁気治療することができる。
【００２３】
図７はクッションシート２０に固定台３０を組合せて使用する状態の斜視図である。固定台３０は図８に示すように、シート体２３の下端部を嵌める溝３１と足を載せる台部３２を有するものである。素材はシート体と同様のものを用いればよい。この固定台３０を用いると、椅子Ｅに載せたクッションシート２０のシート体２３が揺れ動かないので、足に磁場発生器１を密着させやすくなり、楽な姿勢で磁気治療することができる。
【００２４】
図９はクッションシート２０を三つ折りにして畳んだ状態の斜視図である。使用しなときは、このように折り畳んでおけば、コンパクトに格納できる。
【００２５】
図１０において、４０は振動体感板である。この振動体感板４０は、板体４１の内部に形成した空洞４２に磁石４３を入れたものである。
空洞４２と磁石４３の個数は任意であるが、複数個の方が、後述するごとく振動を体感しやすくなる。
板体４１の材料はシート体２１〜２３と同じものでよい。板体４１の形状や大きさは人の足を載せたり、背中をもたせかけたりできる程度でよい。また、板体４１の両端は突起状に形成しておくと、載せた足が外れなくて使いよいという利点がある。
【００２６】
この振動体感板４０は、クッションシート２０と共に、治療中に人の足をのせたり、背中をもたせかけたりして使用する。この場合、クッションシート２０内の磁場発生器１が発生している交番磁界の影響を受けて、振動体感板４０内の磁石４３が振動するので、その振動を人が体感して、磁気治療を受けていることを実感することができる。
【図面の簡単な説明】
【００２７】
【図１】（Ａ）図は本発明の一実施形態に係る磁気治療用クッションシートの平面図、（Ｂ）図は同側面図である。
【図２】磁場発生器の天板を除いた状態の平面図である。
【図３】磁場発生器の側面断面図である。
【図４】クッションシートを平坦に伸ばした状態を示す斜視図である。
【図５】クッションシートの一部を立てた状態を示す斜視図である。
【図６】クッションシートを椅子に置いた状態の斜視図である。
【図７】クッションシートに固定台を組合せて使用する状態の斜視図である。
【図８】クッションシートの固定台の斜視図である。
【図９】クッションシートを三つ折りにして畳んだ状態の斜視図である。
【図１０】（Ａ）図は振動体感板の斜視図、（Ｂ）図は磁石埋入部分の断面図である。
【図１１】従来の磁気治療器の斜視図である。
【符号の説明】
【００２８】
１              磁場発生器
２０              クッションシート
２１，２２，２３  シート体
２６              吸気通路
２７              排気通路
２８              コントローラ
【図１】
0003117718.tif 000003
【図２】
0003117718.tif 000004
【図３】
0003117718.tif 000005
【図４】
0003117718.tif 000006
【図５】
0003117718.tif 000007
【図６】
0003117718.tif 000008
【図７】
0003117718.tif 000009
【図８】
0003117718.tif 000010
【図９】
0003117718.tif 000011
【図１０】
0003117718.tif 000012
【図１１】
0003117718.tif 000013